(57)【特許請求の範囲】
【請求項１】
情報ごとの符号化方法で符号化された複数の情報が記録されている記録媒体から情報を読み出す情報読出し手段と、該情報読出し手段の出力から前記読み出された情報の符号化方法を示す符号化方法情報を抽出する符号化方法情報抽出手段と、前記記録媒体から再生すべき情報の符号化方法を指定する再生モード指定手段と、前記情報読出し手段の出力を復号する復号手段とを備え、
前記復号手段は、前記記録媒体に記録されている情報のうち、前記再生モード指定手段で指定された符号化方法によって符号化された情報のみを復号して出力する情報再生装置であって、
当該装置に電力を供給する電池の残容量を検出する電池残容量検出手段を有し、前記電池残容量が所定値未満であるときに、前記再生モード指定手段で指定された符号化方法を、復号可能で最も圧縮率の高い符号化方法に変更することを特徴とする情報再生装置。
【請求項２】
請求項１記載の情報再生装置において、前記再生モード指定手段は、再生モードとして操作手段を介して指定された符号化方法が前記復号手段で復号可能であるか否かを調べた後に、再生すべき情報の符号化方法を確定することを特徴とする情報再生装置。
【請求項３】
請求項１又は請求項２記載の情報再生装置において、前記情報読出し手段で読み出された情報のうち、前記再生モード指定手段で指定された符号化方法以外の符号化方法によって符号化された情報は、復号せずに破棄することを特徴とする情報再生装置。
【請求項４】
請求項１乃至請求項３のいずれかに記載の情報再生装置において、前記符号化方法情報抽出手段から出力された当該情報の符号化方法と前記再生モード指定手段から出力された再生モードが示す符号化方法とを比較しその比較結果に応じた信号を前記復号手段に与える比較手段を備え、前記復号手段は、前記情報読出し手段で読み出された情報のうち、前記符号化方法情報抽出手段から出力された当該情報の符号化方法と前記再生モードが示す符号化方法とが一致する情報のみを復号して出力することを特徴とする情報再生装置。
【請求項５】
請求項４記載の情報再生装置において、前記符号化方法情報抽出手段は、各情報の先頭部付近のヘッダから当該情報の符号化方法を検出し、当該情報の符号化方法が前記再生モード指定手段で指定された符号化方法と異なることが判明したときは、直ちに他の情報のヘッダをアクセスすることを特徴とする情報再生装置。
【請求項６】
請求項１乃至請求項３のいずれかに記載の情報再生装置において、前記記録媒体に記録されている全情報のうち各符号化方法で符号化されている情報のリストを格納する符号化方法情報格納手段と、前記情報読出し手段のアクセスを制御するアクセス制御手段とを備え、該アクセス制御手段は前記符号化方法情報格納手段に格納された前記リストと前記再生モード指定手段で指定された符号化方法とに応じて、前記再生モード指定手段で指定された符号化方法によって符号化されている情報を順次アクセスするように前記情報読出し手段を制御することを特徴とする情報再生装置。
【発明の詳細な説明】
【０００１】
【発明の属する技術分野】
本発明は、符号化された情報信号を記録する情報記録装置及び情報記録方法並びに符号化された情報を記録した記録媒体を再生する情報再生装置に関し、特に、複数種類の符号化が可能な符号化手段を備えた情報記録装置及び情報ごとに定められた符号化方法によって符号化された複数の情報が記録された記録媒体の再生装置に関する。
【０００２】
【従来の技術】
情報信号のディジタル化が進展するのに伴ない、符号化による様々なデータ圧縮技術が開発されている。そして符号化されたディジタル情報は、様々な記録媒体に記録されたり、様々な放送メディアで放送されたりしている。
一方、符号化におけるデータ量の圧縮率は、符号化により生成されるディジタル情報のデータ量や、その再生画像の画質や、再生オーディオの音質に大きな影響を及ぼす。即ち、符号化における圧縮率を高くすると、一般的にデータ量は減少するが、復号信号の歪や解像度が劣化すると言う傾向がある。このため、極力少ない符号量で極力良質の復号信号を得べく、様々な符号化方式が提案され、実用化されている。
【０００３】
また、符号化されたディジタル情報を記録した記録媒体が販売される場合には、当該記録媒体に複数の情報が記録されている場合に、通常は全て同一の符号化方式により符号化されているのが一般的である。これに対し、記録装置の操作者が記録可能な記録媒体に記録する場合においては、操作者が要求する再生信号の品質や、情報のジャンル（種類）や、情報信号の信号源（ソース）の品質や、信号源機器の種類などに応じて、符号化方式を記録対象の情報ごとに設定したいと言う要求がある。そして、この要求に応えるべく、同一の記録媒体に対して、夫々異なる圧縮率や、異なる符号化方式で符号化された複数の情報信号を記録できるように、複数種類の符号化が可能な符号化手段を備えた記録装置が開発されている。また、前記記録装置により記録された記録媒体を再生するために複数種類の復号が可能な情報再生装置も開発されている。
【０００４】
【発明が解決しようとする課題】
しかしながら、前記した従来の情報記録装置では、操作者が記録対象の各情報に対して別々の符号化方法を設定して符号化し、該符号化された複数の情報を一つの記録媒体に記録する場合に、直前に符号化及び記録した情報の符号化方法とは異なる符号化方法に設定しようとすると、情報の符号化や、該符号化されたディジタル情報の記録動作を中断して、手動操作により情報ごとに符号化方法を指定する必要があった。
【０００５】
また、従来の情報再生装置では、一つの記録媒体に様々な符号化方法により符号化された情報が記録されている記録媒体を再生する場合に、情報読出し手段で記録媒体から読み出された情報が、再生装置が備える復号手段で復号不可能な情報であった時には、前記読み出された情報の復号をしても何も表示されないか、或いは雑音が表示される。この現象は記録されている情報が音楽情報であっても画像情報であっても生じうる現象である。
さらに、従来の情報再生装置では、クラシック音楽の情報、軽音楽の情報、スピーチの情報、画像情報など、情報の種類（情報のジャンル）に応じて符号化方法を設定して記録されている記録媒体を再生する場合に、記録した順に再生すると、様々なジャンルの情報が順次再生されることとなり、特定のジャンルの情報だけを再生したい場合は、手動操作により再生する情報を選択しなければならなかった。
【０００６】
前記したように従来の情報記録装置では、一つの記録媒体に複数の情報を記録する場合に、手動操作をしなければ、各情報で符号化方法を変更することが不可能であった。また従来の情報再生装置では、当該再生装置の復号手段が対応していない符号化方法によって符号化された情報を再生すると、無信号となるかノイズが出力されることとなり、また、特定符号化方法により符号化された情報だけを自動的に選択して出力することが出来なかった。
本発明は前記問題点に鑑みてなされたものであり、その目的は、情報ごとに符号化方法を変更することが可能なようにして複数の情報を符号化し記録媒体に記録する場合に、複数の情報の符号化と記録とを手動操作なしに連続的に行える情報記録装置及び情報記録方法を提供することである。また、本発明の他の目的は、情報ごとに定めた符号化方法により符号化た複数の情報が記録されている記録媒体を再生する場合に、情報が符号化された時の符号化方法と復号手段で対応可能な符号化方法との不一致に起因する無信号出力やノイズ出力がなく、特定種類の情報だけを自動的に選択して出力する情報再生装置を提供することである。
【０００７】
【説題を解決するための手段】
本発明は上記目的を達成するために次のような構成でなされたものである。
第１の発明は、複数種類の符号化が可能な符号化手段と、記録対象の各情報の符号化方法を示す符号化方法テーブルを格納するメモリと、該メモリから読み出された前記符号化方法テーブルに基づいて前記符号化手段に対して記録対象の情報の符号化方法を指示する制御手段と、前記符号化手段で符号化されたディジタル情報を記録媒体に記録する記録手段とを備え、前記記録手段は、情報ごとに予め定めた符号化方法で符号化された複数のディジタル情報を前記記録媒体に記録する際に、各情報の先頭部付近のヘッダに当該情報の符号化方法を示す符号化方法情報と他のヘッダの記録位置を示す情報とを記録するようにした情報記録装置である。
【０００８】
第１の発明によれば、記録対象の複数の全情報に対して予め情報ごとの符号化方法を設定し、その後、情報ごとに設定された符号化方法に基づいて記録対象の各情報を符号化して記録媒体に記録するから、記録対象の情報ごとに符号化方法を設定し得るようにしながらも、記録を開始してから全ての記録対象情報の記録が終了するまで、手動操作による符号化方法の設定を必要とせずに、連続的に符号化と記録をすることが出来る。
また、前記記録手段は、各情報の先頭部付近に各情報のヘッダを記録し、該ヘッダに当該情報の符号化方法を示す符号化方法情報と他のヘッダが記録されている位置を示す情報とを記録することにより、該記録した記録媒体を再生するときに、情報ごとの符号化方法を容易に読み出したり、各情報のヘッダにアクセスしたりすることが容易に出来る。
【０００９】
第２の発明は、第１の発明の情報記録装置において、記録対象の複数の情報のうち、符号化方法の指定がない情報の符号化方法を、符号化方法の指定がある全情報を記録した後に残ると推定される記録媒体の記録可能容量に応じて定めるようにした情報記録装置である。
【００１０】
第２の発明によれば、記録対象の或る情報に対して特定の符号化方法が指定されていない場合や"自動（Auto）"が指定されている場合には、符号化方法の指定がされている情報を記録した後に残る記録可能容量が前記制御手段によって推定され、例えば、記録媒体の記録可能容量が大であるときには、低圧縮率の符号化方法を前記符号化方法が特定されていない情報に対して自動的に設定し、記録媒体の記録可能容量が小であるときには、高圧縮率の符号化方法を自動的に設定する。これにより、出来るだけ高品質の再生信号が得られるような符号化方法を指定することが出来る。
【００１１】
第３の発明は、複数種類の符号化が可能な符号化ステップと、記録対象の各情報の符号化方法を示す符号化方法テーブルを格納する記憶ステップと、前記符号化ステップにおける符号化方法を前記格納された符号化方法テーブルに基づいて指示する制御ステップと、前記符号化ステップで符号化されたディジタル情報を記録媒体に記録する記録ステップとからなり、前記記録ステップでは、情報ごとに予め定めた符号化方法で符号化された複数のディジタル情報を前記記録媒体に記録する際に、各情報の先頭部付近のヘッダに当該情報の符号化方法を示す符号化方法情報と他のヘッダの記録位置を示す情報とを記録するようにした情報記録方法である。
【００１２】
第４の発明は、第３の発明の情報記録方法において、記録対象の複数の情報のうち、符号化方法の指定がない情報の符号化方法を、符号化方法の指定がある全情報を記録した後に残ると推定される記録媒体の記録可能容量に応じて定めるようにした情報記録方法である。
【００１３】
第５の発明は、情報ごとの符号化方法で符号化された複数の情報が記録されている記録媒体から情報を読み出す情報読出し手段と、該情報読出し手段の出力から前記読み出された情報の符号化方法を示す符号化方法情報を抽出する符号化方法情報抽出手段と、前記記録媒体から再生すべき情報の符号化方法を指定する再生モード指定手段と、前記情報読出し手段の出力を復号する復号手段とを備え、前記復号手段は、前記記録媒体に記録されている情報のうち、前記符号化方法指定手段で指定された符号化方法によって符号化された情報のみを復号して出力するようにした情報再生装置である。
【００１４】
第５の発明によれば、次のような効果を奏する。即ち、情報ごとに定めた符号化方法で符号化され記録された複数の情報が記録されている記録媒体から情報を再生するときに、操作者が指定した特定の符号化方法によって符号化された情報だけが再生される。これにより、当該情報再生装置における復号手段で復号できない情報を再生しようとした場合に、出力が無音になったりノイズになったりするのを防ぐことが出来る。また、情報のジャンルや種類ごとに符号化方法を定めて符号化し記録された記録媒体の場合には、特定のジャンル又は種類の情報だけを自動的に選択して出力することができる。
【００１５】
第６の発明は、第５の発明の情報再生装置において、前記再生モード指定手段は、再生モードとして操作手段を介して指定された符号化方法が前記復号手段で復号可能であるか否かを調べた後に、再生すべき情報の符号化方法を確定するようにした情報再生装置である。
【００１６】
第６の発明によれば、復号できない符号化方法を操作者が再生モードとして誤って指定しても、その誤った指定のままで再生モードが確定されるのと防ぐことが出来る。
【００１７】
第７の発明は、第５又は第６の発明の情報再生装置において、前記情報読出し手段で読み出された情報のうち、前記再生モード指定手段で指定された符号化方法以外の符号化方法によって符号化された情報は、復号せずに破棄するようにした情報再生装置である。
【００１８】
第７の発明によれば、次のような効果を奏する。即ち、再生の対象になっていないデータが記録媒体から読み出された場合に、バッファメモリに不要なデータが蓄積されないから、バッファメモリにより多くの有効なデータを蓄積することが出来、アクセスに時間がかかった場合にも、音切れや画像の中断を防止することが出来る。
【００１９】
第８の発明は、第５の発明乃至第７の発明のいずれかの情報再生装置において、前記符号化方法情報抽出手段から出力された当該情報の符号化方法と前記再生モード指定手段から出力された再生モードが示す符号化方法とを比較しその比較結果に応じた信号を前記復号手段に与える比較手段を備え、前記復号手段は、前記情報読出し手段で読み出された情報のうち、前記符号化方法情報抽出手段から出力された当該情報の符号化方法と前記再生モードが示す符号化方法とが一致する情報のみを復号して出力するようにした情報再生装置である。
【００２０】
第８の発明によれば、次のような効果を奏する。即ち、前記比較手段で当該情報の符号化方法と前記再生モードが示す符号化方法とを比較することにより、当該情報が復号すべき情報であるか否かが容易に判明し、前記復号手段は要求された情報だけを確実に復号して出力することができる。
【００２１】
第９の発明は、第８の発明の情報再生装置において、前記符号化方法情報抽出手段は、各情報の先頭部付近のヘッダから当該情報の符号化方法を検出し、当該情報の符号化方法が前記再生モードで指定された符号化方法と異なることが判明したときは、直ちに他の情報のヘッダをアクセスするようにした情報再生装置である。
【００２２】
第９の発明によれば、次のような効果を奏する。即ち、記録媒体に記録された各情報の符号化方法を一括して示す符号化方法管理テーブルを有さない記録媒体を再生する場合に、当該情報のデータを解析することなくヘッダ情報を読み取るだけで当該情報の符号化方法を速やかに知ることができ、当該情報が再生要求された符号化方法の情報でないときには、当該情報を殆ど読み取らずに他の情報をアクセスできる。また他の情報をアクセスする場合には、その情報のヘッダをアクセスすることにより、その情報へのアクセスとその情報の符号化方法の検出が高速に行える。
【００２３】
第１０の発明は、第５の発明乃至第７の発明のいずれかの情報再生装置において、前記記録媒体に記録されている全情報のうち各符号化方法で符号化されている情報のリストを格納する符号化方法情報格納手段と、前記情報読出し手段のアクセスを制御するアクセス制御手段とを備え、該アクセス制御手段は前記符号化方法情報格納手段に格納された前記リストと前記再生モードとに応じて、前記再生モードで指定された符号化方法によって符号化されている情報を順次アクセスするように前記情報読出し手段を制御するようにした情報再生装置である。
【００２４】
第１０の発明によれば、次のような効果を奏する。即ち、記録媒体に記録されている各情報の符号化方法を一覧で示す符号化方法管理テーブルが記録媒体に記録されている場合に、前記符号化方法管理テーブルの情報を基にして、再生モードで指定された符号化方法で符号化された情報の番号などを容易に抽出することができ、再生要求された情報以外の情報を読み取らなくて済む。
【００２５】
第１１の発明は、第５の発明乃至第１０の発明のいずれかの情報再生装置において、当該装置に電力を供給する電池の残容量を検出する電池残容量検出手段を有し、前記電池残容量が所定値未満であるときに、前記再生モード指定手段で指定された符号化方法を、復号可能で最も圧縮率の高い符号化方法に変更するようにした情報情報再生装置である。
【００２６】
第１１の発明によれば、次のような効果を奏する。即ち、電池から電力が供給される情報再生装置において、高圧縮率の符号化方法で符号化された情報を読み出す際には、ディスクを回転させるスピンドルモータの回転速度を下げられるから消費電力が少なくて済み、電池の残容量が少なくなったときにその分再生可能時間が長くなる。
【００２７】
【発明の実施の形態】
本発明の情報記録装置は、記録対象の各情報の夫々の符号化方法を操作者が予め設定して符号化方法テーブルとしてメモリに格納しておき、符号化手段は前記メモリから各情報の符号化方法を読み出して符号化し、該符号化済みのディジタル情報を記録媒体に記録する。記録時には、各情報の先頭部付近に設けたヘッダに当該情報の符号化方法を示す符号化方法情報と他の情報のヘッダの記録位置（アドレス）とを記録する。このようにして、記録対象の複数の情報を、符号化方法を変更しながらも、符号化或いは記録の途中での手動操作を必要とせずに連続的に記録媒体に記録するようにした情報記録装置である。
【００２８】
また、本発明の情報再生装置は、情報ごとに定められた符号化方法で符号化された複数の情報が記録されている記録媒体から情報を再生する情報再生装置であって、情報読出し手段の出力から当該情報の符号化方法情報を抽出する符号化方法情報抽出手段と、再生すべき情報に係る符号化方法を指定する再生モード指定手段と、前記情報読出し手段の出力を復号する復号手段とを備え、前記復号手段は、前記記録媒体に記録されている情報のうち、前記符号化方法指定手段で指定された符号化方法によって符号化された情報のみを復号して出力するようにした情報再生装置である。
【００２９】
以下、本発明の実施の形態について図面を参照して説明する。なお、以下の説明では、トラック番号は記録媒体の物理的なトラック番号を指すのではなく、一つの情報に対して一つのトラック番号が付されるものとする。
図１は本発明情報記録装置の実施例を示すブロック図である。図１に示す情報記録装置１０において、外部の情報再生手段、例えばＣＤ再生装置９からＡ／Ｄ変換器１１に記録対象の情報が入力される。Ａ／Ｄ変換器１１は入力された情報がアナログ信号である場合にはディジタル信号に変換し、入力された情報がディスク信号である場合にはそのままメモリＡ１３に与える。メモリＡ１３はＡ／Ｄ変換器１１から与えられたディジタル情報を格納し、制御手段２１からの読み出し指示に基づいて、格納したディジタル情報を読み出して符号化手段１５に与える。制御手段２１は情報記録装置１０全体を制御するシステム制御用のＭＰＵなどで構成される。
【００３０】
前記制御手段２１はメモリＣ２３を備え、記録対象の各情報の符号化方法が操作者によって予め指定されて、符号化方法テーブルとしてメモリＣ２３に格納されている。制御手段２１はメモリＣ２３から前記符号化方法テーブルを読み出して、符号化手段１５に与え、符号化手段１５は当該情報の符号化方法として操作者が指定した符号化方法で符号化を行い、メモリＢ１７に出力する。
メモリＢ１７は符号化されたディジタル情報を一時的に記憶するバッファメモリである。該ディジタル情報は記録手段１９からのデータ要求に応じて、制御手段２１を介してメモリＢ１７から読み出され、記録手段１９で記録媒体に記録される。
【００３１】
制御手段２１には操作手段２５と表示手段２７とが接続され、表示手段２７には前記符号化方法テーブルの内容が表示される。また、制御手段２１は、記録対象の全情報が記録媒体に記録された後の記録容量の残量を推定し、表示手段２７に表示する。操作者が各情報に対して符号化方法を設定する場合は、操作手段２５を介して行う。
記録手段１９は記録媒体として例えばＣＤ−ＲＷなどの記録媒体が装着された後、記録する各情報の先頭部付近にヘッダを付加して各情報を記録する。そして各ヘッダに当該情報の符号化方法を示す符号化方法情報と、直前又は直後に記録される情報のヘッダの記録位置（アドレス）を記録し、これに続いて当該情報を記録する。
【００３２】
図４は本発明におけ符号化方法テーブルの一例を示す図である。同図において、ｎは操作者が記録対象の情報として選択した順を示し、ＳＴ（ｎ）はｎ番目に選択された情報が記録されている再生側記録媒体における楽曲順などを示すトラック番号を示す。この例は、記録側記録媒体における最小記録可能トラックが５の場合の例であり、ｎが１では、ＣＤの第３トラックを再生し、その情報を第３の符号化方法で符号化し、符号化済みディジタル情報を記録手段１９で記録側記録媒体のトラック５に記録する。
【００３３】
同様に、ｎが２では、ＣＤの第６トラックを再生し、その情報を第２の符号化方法で符号化し、符号化済みディジタル情報を記録手段１９で記録側記録媒体のトラック６に記録する。ｎが４では、操作者が特定の符号化方法を指定せず"Auto"を選択した場合又は符号化方法を指定をしなかった場合であり、ＣＤの第２トラックを再生し、その情報を符号化して、符号化済みディジタル情報を記録側記録媒体のトラック８に記録する。ＳＴ（２）の情報の符号化方法については後述するが、記録対象の情報が全て選択された後で、ＳＴ（２）の情報に対していずれかの符号化方法が自動的に割り当てられる。
【００３４】
記録手段１９で記録された記録媒体の再生装置については後で詳述するが、再生する場合には、記録媒体に記録されている前記ヘッダを読み出し、記録媒体から読み出された各情報の符号化方法を抽出し、該抽出した符号化方法に適した復号方法を選択して復号する。なお、再生対象の記録媒体がミニディスク（ＭＤ）の場合には、最内周部に記録されている曲管理テーブル（ＵＴＯＣ）を読み出し、情報読出し手段で読み出された各情報の符号化方法を前記ＵＴＯＣから読み出して、該読み出した符号化方法に適した復号方法を選択して復号する。
【００３５】
なお、図１に示す情報記録装置の実施例では、情報源はＣＤ再生手段９から出力される音楽情報であり、ＣＤ再生手段９は制御端子を介して制御手段２１と接続され、その再生動作が制御手段２１により制御される。情報記録装置１０で記録する情報は、各情報を一つずつＣＤ再生手段９から読み出し符号化して記録媒体に記録しても良いが、予め記録対象の全ての情報をメモリＡ１３に格納しておいて、情報ごとの符号化方法を設定した後、各情報をメモリＡ１３から読み出して符号化し、記録媒体に記録するようにしても、記録対象の全情報を記録途中に手動操作によって符号化方法を設定することなく、全ての情報を連続的に記録することが可能である。
【００３６】
以下、本発明情報記録装置における各処理手順について、図と共に説明する。図２は本発明記録装置における符号化方法設定処理手順を示すフローチャートであり、操作者が、ＣＤ再生手段９に装着されているＣＤに記録されて楽曲をいくつか選択して、符号化方法を楽曲ごとに設定して記録手段１９に装着されている記録媒体に記録する場合の例を示す。なお、図２において、ＳＴ（ｎ）は、記録対象の情報としてｎ番目に選択された情報が記録されている記録媒体上のトラック番号を示し、具体的には図１に示すＣＤ再生手段９で再生されるコンパクトディスク（以下、ＣＤとも記す）のトラック番号を示す。
【００３７】
図２において、ステップＳ１１では、符号化方法を設定するための初期化が行われ、ｎを１としてステップＳ１３へ進む。ステップＳ１３では、符号化方法設定開始の指示が操作手段２５から入力されたか？、と問われ、ＹｅｓであればステップＳ１５へ進み、Ｎｏであればこの符号化方法設定処理を終了する。ステップＳ１５では、操作者が、再生トラック番号（ＴＮＯ）ｉを選択し、ステップＳ１７へ進む。ステップＳ１７では、選択された再生トラック番号ｉが実際にＣＤ再生手段９に装着されているＣＤ上に存在するか？、と問われ、ＹｅｓであればステップＳ１９へ進み、ＮｏであればステップＳ２５へ進む。ステップＳ１９では、ＳＴ（ｎ）＝ｉとおき、再生トラックｉの楽曲に対して符号化方法を設定し、ステップＳ２１へ進む。ステップＳ２１では、ＴＮＯ  ｉと指定又は選択された符号化方法とを対応付けして、メモリＣ２３に格納されている符号化方法テーブルに書き込み、ステップＳ２３へ進む。
【００３８】
ステップＳ２３では、ｎの値を１だけインクリメントしてステップＳ２５へ進む。ステップＳ２５では、符号化方法設定終了の指示が操作手段２５から入力されたか？、と問われ、ＹｅｓであればステップＳ２７へ進み、ＮｏであればステップＳ１５へ戻る。ステップＳ２７では、符号化方法が指定された全情報の記録が終了した時の記録媒体の記録容量残を制御手段２１で推定し、符号化方法が指定されなかった情報があれば前記容量残に基づいて符号化方法を割り当て、メモリＣ２３に追記して符号化方法設定処理を終了する。
【００３９】
図３は本発明記録装置における記録処理手順を示すフローチャートであり、記録対象の各情報を符号化し、記録手段１９で記録媒体に記録する処理のフローチャートである。
図３において、ステップＳ３１では、操作者から記録開始の指示があったか？、と問われ、ＹｅｓであればステップＳ３３へ進み、Ｎｏであればこの記録処理を終了する。ステップＳ３３では、メモリＣ２３から符号化方法テーブルを読み出し、記録側のトラック番号（ＲＴＮＯ）ｊを記録媒体の記録可能な最小トラック番号に設定し、選択順ｎを１にして、ステップＳ３５へ進む。ステップＳ３５では、符号化手段１５における符号化方法を、ＳＴ（ｎ）に対して設定された符号化方法に設定し、ステップＳ３７へ進む。
【００４０】
ステップＳ３７では、ｎ番目に選択された情報（楽曲）に相当する、ＣＤのトラック番号ＳＴ（ｎ）を再生し、指定された方法で符号化して、記録側トラック番号（ＲＴＮＯ）ｊのトラックにヘッダ情報を記録した後で記録する。このとき当該トラックに記録する情報のデータ量を基にして当該トラックの次に記録するトラック（ＲＴＮＯ＝ｊ＋１）のヘッダの記録開始位置を演算し、当該トラックｊのヘッダに当該情報の符号化方法情報と当該トラックの前後のトラック（ＲＴＮＯがｊ＋１とｊ−１）のヘッダの記録開始位置（アドレス）とを書き込み、その後に記録側トラック番号（ＲＴＮＯ）ｊの情報を記録し、ステップＳ３９へ進む。
【００４１】
ステップＳ３９では、操作手段２５により記録停止の支持があったか？、と問われ、Ｙｅｓであれば本記録処理を終了し、ＮｏであればステップＳ４１へ進む。ステップＳ４１では、再生側におけるトラック番号ＳＴ（ｎ）の再生と、記録側トラックＲＴＮＯ  ｊの記録を終了したか？、と問われ、ＹｅｓであればステップＳ４３へ進み、ＮｏであればステップＳ３９へ戻る。ステップＳ４３では、記録側トラック番号ＲＴＮＯ  ｊの値及び選択順を示すｎの値を１だけインクリメントし、ステップＳ４５へ進む。ステップＳ４５では、符号化方法テーブルに記載された記録対象情報のうち、未記録の情報があるか？、と問われ、ＹｅｓであればステップＳ３５へ戻り、Ｎｏであれば、この記録処理を終了する。
【００４２】
次に本発明の情報再生装置について図と共に説明する。図５は本発明情報再生装置に係る第１実施例を示すブロック図である。図５に示す情報再生装置３０は、情報ごとに定めた符号化方法で符号化された複数の情報が記録されている記録媒体から情報を読み出す情報読出し手段３１と、該情報読出し手段３１のアクセス制御を行うアクセス制御手段３９と、前記情報読出し手段３１の出力から前記読み出された情報の符号化方法を示す符号化方法情報を抽出する符号化方法情報抽出手段３３と、前記記録媒体から再生すべき情報の符号化方法を指定する再生モード指定手段４１と、前記情報読出し手段３１の出力を復号する復号手段３７と、前記符号化方法情報抽出手段３３から出力された当該情報の符号化方法と前記再生モード指定手段４１から出力された再生モードが示す符号化方法とを比較しその比較結果を前記復号手段３７に与える比較手段４３と、情報再生装置３０全体を制御するマイクロプロセッサ（ＭＰＵ）３５とからなる。
【００４３】
前記再生モード指定手段４１は操作者が再生モードの入力や選択を行う操作手段を有し、情報再生装置３０の操作者は前記操作手段を介して再生モード指定手段４１に再生すべき情報に係る符号化方法を入力又は選択する。前記符号化方法情報抽出手段３３、再生モード指定手段４１、復号手段３７はそれらの主要部をＭＰＵ３５で構成することも出来る。
符号化方法情報抽出手段３３は、記録媒体から読み出された各情報のヘッダから当該情報の符号化方法を示す符号化方法情報を抽出し、結果を比較手段４３に与える。ＭＰＵ３５はＭＰＵ３３の出力に応じた信号を復号手段３７も与える。
【００４４】
操作者が入力又は選択する再生モードは、復号手段３７から出力すべき情報が符号化された時の符号化方法を示すものである。例えばＭＰＥＧ２で符号化された情報だけを復号手段３７から出力したければ、操作者は再生モードとしてＭＰＥＧ２なる符号化方法を指定する。
今、操作者が要求した再生モードがモードＫであるとする。モードＫは、復号手段３７から出力すべき情報が復号前には符号化方法Ｋで符号化されていた情報であることを意味する。
比較手段４３は、情報読出し手段３１で読み出された当該情報の符号化方法と符号化方法Ｋとを比較し、結果をＭＰＵ３５に与える。比較手段４３で前記２つの符号化方法が一致した場合にのみ、復号手段３７は情報読出し手段３１から与えられた当該情報を復号して出力し、一致しない場合は、情報読出し手段３１から与えられた情報を復号せずに破棄する。
【００４５】
図８は本発明情報再生装置の第１実施例に係る再生手順を示すフローチャートである。操作者が再生を指示するとＡからＢまでのフローの各ステップが行われる。図８において、ステップＳ７１では記録媒体が装着されたかどうかを調べ、装着されていればステップＳ７５へ進み、装着されていなければこのフローを終了する。
ステップＳ７５では特定符号化方法のトラック（情報）の再生要求があったか？を調べ、ＹｅｓであればステップＳ７７へ進み、ＮｏであればステップＳ７５へ戻る。
【００４６】
ステップＳ７７では記録可能な最小トラック番号（最小ＴＮＯ）をｉの値に設定しステップＳ７８へ進む。ステップＳ７８では記録媒体から当該トラック（情報）の符号化方法情報ＲＭを読み出しステップＳ７９へ進む。ステップＳ７９では要求された再生モードが示す符号化方法と前記符号化方法情報ＲＭが示す符号化方法とが一致するか？を比較手段４３で調べ、一致すればステップＳ８１へ進み、一致しなければステップＳ８９へ進む。ステップＳ８１ではトラック番号（ＴＮＯ）がｉのトラックの再生を開始しステップＳ８３へ進む。
【００４７】
ステップＳ８３では操作者から再生停止の指示があったか？を調べ、ＹｅｓであればステップＳ８７へ進み、ＮｏであればステップＳ８５へ進む。ステップＳ８５ではトラック番号ｉの再生は終了したかを調べ、ＹｅｓであればステップＳ８９へ進み、ＮｏであればステップＳ８３へ戻る。ステップＳ８７では再生を停止しこのフローを終了する。ステップＳ８９ではｉの値を１だけインクリメントしてステップＳ９１へ進む。ステップＳ９１ではトラック番号がｉのトラックがあるかを調べ、あればステップＳ７８へ進み、なければこのフローを終了する。
【００４８】
なお、図８のフローチャートには示していないが、操作者が再生モードを指定するときに、図５に示す再生モード指定手段４１は、操作者が誤った指定をする場合を考慮して、操作者が指定した再生モードに対応する復号手段を情報再生装置３０が備えているかどうかを調べ、備えているときにのみ再生モードを確定する。
また、図５に示す情報読出し手段３１で読み出された情報のうち、前記再生モード指定手段４１で指定された符号化方法以外の符号化方法によって符号化された情報は、復号手段３７で復号せずに破棄する。
【００４９】
図８に示すフローチャートでは、ステップＳ８９でトラック番号を１だけインクリメントし、トラック番号の順にアクセスしているが、当該情報（トラック）のヘッダ情報に、当該トラックの前後のトラックのヘッダが記録されている位置（アドレス）が記録されている場合には、前記符号化方法情報抽出手段３３は、各情報（トラック）の先頭部付近にあるヘッダから当該情報の符号化方法を検出し、当該情報の符号化方法が前記再生モードで指定された符号化方法と異なる場合は、アクセス制御手段３９は情報読出し手段３１が直ちに他の情報のヘッダをアクセスするように制御する。これにより、指定された再生モードに係る情報（トラック）に高速にアクセスすることが出来る。
【００５０】
以下、本発明情報再生装置に係る第２実施例装置について、図６及び図９と共に説明する。図６は本発明情報再生装置に係る第２実施例を示すブロック図であり、図９は本発明情報再生装置の第２実施例に係る再生手順を示すフローチャートである。
図６に示す第２実施例の情報再生装置と図５に示す第１実施例の情報再生装置とで、同一機能、同一作用の要素には同一の符号を付し、その説明を省略する。両装置における主たる違いは、図６では比較手段４３がなく、符号化方法情報格納手段４７が設けられている点である。またアクセス制御手段３９ｂとアクセス制御手段３９の動作が異なり、符号化方法情報抽出手段３３ｂと符号化方法情報抽出手段３３の動作も異なる。
【００５１】
図６に示す情報再生装置４０は、各情報（トラック）の符号化方法を一括して記録した符号化方法管理テーブルが記録媒体に記録されている場合の例であって、記録媒体がＭＤであれば曲管理テーブル（ＵＴＯＣ）などがそれに相当する。操作者が再生開始の指示をすると、まず、アクセス制御手段３９ｂは符号化方法管理テーブルが記録されている所定位置をアクセスするように情報読出し手段３１を制御する。どして情報読出し手段３１で読み出されたデータをからは符号化方法情報抽出手段３３ｂで前記符号化方法管理テーブルが抽出される。前記符号化方法管理テーブルの情報を基にして、それぞれの符号化方法と、その符号化方法で符号化された情報の番号とが対応付けして符号化方法情報格納手段４７に格納される。例えば、第１の符号化方法とトラック２、トラック５、トラック１０が関連付けされる。トラック２、トラック５、トラック１０は第１の符号化方法で符号化された情報である。
【００５２】
操作者が再生モードとして第１の符号化方法を指定したとすると、マイクロプロセッサ（ＭＰＵ）３５は符号化方法情報格納手段４７から第１の符号化方法によって符号化された情報の番号（トラック２，５，１０）を認識し、トラック２、トラック５、トラック１０の順に再生するようにアクセス制御手段３９ｂに指示する。情報読出し手段３１で読み出されたトラック２、トラック５、トラック１０のデータは復号手段３７で第１の符号化方法に対応する復号方法で順次に復号され出力される。
【００５３】
図９において、記録媒体が装着されると、ステップＳ７３では符号化方法管理テーブルから各トラックの符号化方法を読み出しステップＳ７５へ進む。そして、操作者が再生モードとして特定の符号化方法を指定したかを調べ（ステップＳ７５）、操作者により再生モードが指定されるとステップＳ７６では、操作者が指定した再生モード（符号化方法）Ｋが復号手段で復号可能であるかを調べてから再生モードをＫに確定しステップＳ７７へ進む。ステップＳ７７では指定された符号化方法に係るトラックのうちで最小のトラック番号（最小ＴＮＯ）をｉの値として設定しステップＳ８１へ進む。
【００５４】
ステップＳ８１ではトラック番号ｉのトラックの再生を開始し、ステップＳ８３へ進む。ステップＳ８３、Ｓ８５、Ｓ８７は図８と同じである。ステップＳ８９ｂではｉの値を、指定された符号化方法に該当するトラックの中から次に再生すべきトラックの番号に変更してステップＳ９１ｂへ進む。ステップＳ８１ｂでは、指定再生モードのトラックを全て再生したか？を問い、ＮｏであればステップＳ８１へ進み、Ｙｅｓであればこのフローを終了する。
【００５５】
以下、本発明情報再生装置に係る第３実施例装置について、図７及び図１０と共に説明する。図７は本発明情報再生装置に係る第３実施例を示すブロック図であり、図１０は本発明情報再生装置の第３実施例に係る再生手順を示すフローチャートである。
図７に示す第３実施例の情報再生装置と図６に示す第２実施例の情報再生装置とで、同一機能、同一作用の要素には同一の符号を付し、その説明を省略する。両装置における主たる違いは、図７では情報再生装置５０が電池から電力を供給されており、再生モード指定手段４９が電池残容量検出手段４９ｂを備えている点である。
【００５６】
図７に示す情報再生装置５０は、第２実施例と同様に各情報（トラック）の符号化方法をまとめて記録した符号化方法管理テーブルが記録媒体に記録されている場合の例である。
図７において、電池残容量検出手段４９ｂは電池の残容量を検出しそのデータをＭＰＵ３５に与える。ＭＰＵ３５は前記電池の残容量が所定値未満になったときに、再生モードを変更する。即ち操作者により指定された再生モードより再生時の消費電力が少ないモードへ変更する。例えば、記録媒体がディスク状記録媒体にあってはより高圧縮率の符号化方法に変更する。これは高圧縮率の符号化方法により圧縮された情報のトラックを読み取るときに、ディスク状記録媒体を回転させるスピンドルモータの回転速度を低下させることが出来るから、消費電力を低下させて、再生可能時間を長くすることが出来る。
【００５７】
図１０において、まず初期値としてｊを１にする。ステップＳ７１からテップＳ７５までは図９と同じである。ステップＳ７６ｂでは、各符号化方法に属するトラックの一覧表を作成しステップＳ７７へ進む。ステップＳ７７では指定された符号化方法に係るトラックのうちで最小のトラック番号（最小ＴＮＯ）をｉの値として設定しステップＳ８０ｂへ進む。ステップＳ８０ｂでは電池残量が所定値以上か？と問い、ＹｅｓであればステップＳ８１へ進み、ＮｏであればステップＳ８０ｃへ進む。ステップＳ８１、Ｓ８３、Ｓ８５、Ｓ８７については、図９で説明したとおりである。
【００５８】
ステップＳ８０ｃでは、ｊが１であれば再生モードをＫからＬへ変更しステップＳ７７ｂへ進む。前記符号化方法Ｋは復号手段３７で復号可能な符号化方法の中で最も圧縮率が高い符号化方法である。ステップＳ７７ｂでは、ｊが１であれば、符号化方法がＬのトラックの中の最小トラック番号をｉの値にし、ｊの値を２にして、ステップＳ８１へ進む。
ステップＳ８９ｂでは図９の場合と同様にトラック番号を変更し、ステップＳ９１ｂで当該再生モードのトラックを全て再生したか？を問い、ＮｏであればステップＳ８０ｂへ進み、Ｙｅｓであればこのフローを終了する。
【００５９】
以上詳述したように、本発明の情報記録装置、情報記録方法によれば、記録対象の複数の情報に対して予め情報ごとの符号化方法を設定し、その後、情報ごとに設定された符号化方法に基づいて記録対象の各情報を符号化し、記録対象の各情報の先頭部付近に設けたヘッダに当該情報の符号化方法を示す符号化方法情報と他の情報のヘッダの記録位置（アドレス）とを記録し、その後に当該情報を記録するから、記録を開始してから全ての記録対象情報の記録が終了するまで、手動操作による符号化方法の設定を必要とせずに、連続的に符号化と記録を行うことが出来る。また、これにより再生時に指定した、或る符号化方法で符号化された情報だけを再生することが容易に可能となる。
【００６０】
また、本発明の情報再生装置によれば、情報ごとの符号化方法で符号化され記録された複数の情報を１つの記録媒体から再生するときに、操作者が指定した特定の符号化方法によって符号化された情報だけが再生される。これにより、当該情報再生装置における復号手段で復号できない情報を記録媒体から読み出して、出力が無音になったり、ノイズになったりするのを防ぐことが出来る。また、情報のジャンルや種類ごとに符号化方法を定めて符号化し記録された記録媒体の場合には、特定のジャンル又は種類の情報だけを自動的に選択して出力することができる。
【図面の簡単な説明】
【図１】本発明情報記録装置の一実施例を示すブロック図である。
【図２】本発明記録装置における符号化方法設定処理手順を示すフローチャートである。
【図３】本発明記録装置における記録処理手順を示すフローチャートである。
【図４】本発明記録装置におけ符号化方法テーブルの一例を示す図である。
【図５】本発明情報再生装置に係る第１実施例を示すブロック図である。
【図６】本発明情報再生装置に係る第２実施例を示すブロック図である。
【図７】本発明情報再生装置に係る第３実施例を示すブロック図である。
【図８】本発明情報再生装置の第１実施例に係る再生手順を示すフローチャートである。
【図９】本発明情報再生装置の第２実施例に係る再生手順を示すフローチャートである。
【図１０】本発明情報再生装置の第１実施例に係る再生手順を示すフローチャートである。
【符号の説明】
１１    Ａ／Ｄ変換器
１３、１７、２３    メモリ
１５    符号化手段
１９    記録手段
２１    制御手段
２５    操作手段
２７    表示手段
３１    情報読出し手段
３３、３３ｂ    符号化方法情報抽出手段
３５    マイクロプロセッサ（ＭＰＵ）
３７    復号手段
３９、３９ｂ    アクセス制御手段
４１、４９    再生モード指定手段
４３    比較手段
４７    符号化方法情報格納手段
４９ｂ    電池残容量検出手段
【図１】
0003834471.tif 000002
【図２】
0003834471.tif 000003
【図３】
0003834471.tif 000004
【図４】
0003834471.tif 000005
【図５】
0003834471.tif 000006
【図６】
0003834471.tif 000007
【図７】
0003834471.tif 000008
【図８】
0003834471.tif 000009
【図９】
0003834471.tif 000010
【図１０】
0003834471.tif 000011